(57)【要約】【課題】枚数の少ない４群５枚構成で、明るく、周辺部まで１００％に近い開口効率で像面湾曲が良好に補正され、高空間周波数領域で軸上近傍から最周辺まで高いコントラストを有し、軸上色収差とともに軸上色収差の２次スペクトルが良好に補正されフルカラー画像の読取りに対応可能なカラー画像読取レンズを実現する。【解決手段】物体側から、正・負・負・正の第１群Ｉ〜第４群ＩＶを配し、第２、第３群間に絞りＳを有する正レンズ３枚、負レンズ２枚による４群５枚構成のカラー画像読取レンズで、部分分散：θgdとアッベ数：νdとを直交２軸とする座標平面上において、１枚以上の正レンズにおいてその材料の部分分散：θgdの基準線からの偏差である部分分散偏差：δθgdが正であることを特徴とする。【選択図】                  図１
2005134486.tif 000002
【特許請求の範囲】
【請求項１】
物体側から、正の第１レンズからなる第１群、正の第２レンズと負の第３レンズが接合されて負の屈折力を有する第２群、負の第４レンズからなる第３群、正の第５レンズからなる第４群が上記順序に配置され、上記第２群と第３群の間に絞りを有する、正レンズ３枚、負レンズ２枚による４群５枚構成のカラー画像読取レンズにおいて、
上記正レンズを低分散の硝材で構成し、上記負レンズを高分散の硝材で構成し、
ｄ線(587.56nm)の屈折率：nd、ｃ線(656.27nm)の屈折率：nc、F線(486.13nm)の屈折率：nF、g線(435.83nm)の屈折率：ngにより、
θgd＝(ng-nd)/(nF-nc)  
で部分分散：θgdを定義し、
この部分分散：θgdとアッベ数：νdとを直交２軸とする座標平面上において、基準硝材：Ｋ７の座標点：Ｋ７（θgd,νd）と基準硝材：Ｆ２の座標点：Ｆ２（θgd,νd）を結ぶ直線を基準線として、
１枚以上の正レンズにおいて、その材料の部分分散：θgdの上記基準線からの偏差である部分分散偏差：δθgdが正であることを特徴とするカラー画像読取レンズ。
【請求項２】
請求項１記載のカラー画像読取レンズにおいて、
正レンズの少なくとも２枚において、部分分散偏差：δθgdが正であり、
３枚の正レンズの部分分散偏差の平均値：δθgd(凸)、２枚の負レンズの部分分散偏差の平均値：δθgd(凹)が、条件：
(１)      −０.０１１  ＜  δθgd(凸)−δθgd(凹)  ＜  −０.００５  
を満足し、且つ、第４レンズの少なくとも１面に非球面を有することを特徴とするカラー画像読取レンズ。
【請求項３】
請求項２記載のカラー画像読取レンズにおいて、
３枚の正レンズの材料の部分分散偏差：δθgdが正であり、
３枚の正レンズの部分分散偏差の平均値：δθgd(凸)、２枚の負レンズの部分分散偏差の平均値：δθgd(凹)が、条件：
(１Ａ)    −０.０１１  ＜  δθgd(凸)−δθgd(凹)  ＜  −０.００７  
を満足することを特徴とするカラー画像読取レンズ。
【請求項４】
請求項１〜３の任意の１に記載のカラー画像読取レンズにおいて、
全系のｅ線に対する合成焦点距離：ｆ、第１群のｅ線に対する焦点距離：ｆ１、第２群と第３群のｅ線に対する合成焦点距離：ｆ23が、条件：
（２）      ０．７７＜ｆ１／ｆ＜１．２８
（３）    −０．５５＜ｆ23／ｆ＜−０．４５
を満足することを特徴とするカラー画像読取レンズ。
【請求項５】
請求項１〜４の任意の１に記載のカラー画像読取レンズにおいて、
全系のｅ線に対する合成焦点距離：ｆ、絞りから第４レンズまでの光軸上の距離：ｄ６が、条件：
（４）      ０．０５＜ｄ６／ｆ＜０．０９
を満足することを特徴とするカラー画像読取レンズ。
【請求項６】
請求項１〜５の任意の１に記載のカラー画像読取レンズにおいて、
第２レンズと第３レンズの接合後の第２群は、物体側に凸面を向けて配置したメニスカス形状であり、
第４レンズは、像面に凸面を向けて配置したメニスカス形状であることを特徴とするカラー画像読取レンズ。
【請求項７】
請求項６記載のカラー画像読取レンズにおいて、
第１レンズは物体側に凸面を向けて配置したメニスカス形状であり、
第５レンズは、像面に凸面を向けて配置したメニスカス形状であることを特徴とするカラー画像読取レンズ。
【請求項８】
請求項６または７記載のカラー画像読取レンズにおいて、
第４レンズの非球面形状が、周辺部に行くに従い、負のパワーが強くなる形状であることを特徴とするカラー画像読取レンズ。
【請求項９】
請求項１〜８の任意の１に記載のカラー画像読取レンズにおいて、
５枚のレンズが全てガラスレンズであり、これらガラスレンズのガラス材料は鉛、砒素等の有害物質を含有していないことを特徴とするカラー画像読取レンズ。
【請求項１０】
請求項１〜９の任意の１に記載の原稿読取レンズを、鏡筒に組付け一体化してなるカラー画像読取レンズユニット。
【請求項１１】
原稿上のカラー画像をフルカラーで読取る装置であって、
原稿を支持する原稿支持手段と、
この原稿支持手段に支持された原稿を照明する照明手段と、
照明された原稿の像を結像させる原稿読取レンズと、
この原稿読取レンズの結像光路上に配置された色分解手段と、
上記原稿読取レンズにより結像された原稿の像を受光して電気信号に変換する撮像手段とを有し、
上記原稿読取レンズとして、請求項１〜９の任意の１に記載のカラー画像読取レンズを用いたことを特徴とする原稿読取装置。
【請求項１２】
請求項１１記載の原稿読取装置において、
原稿支持手段が、原稿を平面的に定置するコンタクトガラスであり、
照明手段が、コンタクトガラスに載置された原稿をスリット状に照明し、スリット状の照明部に交わる方向へ原稿を走査する手段を有し、
撮像手段がラインセンサであることを特徴とする画像読取装置。
【請求項１３】
画像信号に対応する画像を書込んで画像を形成する画像形成装置であって、
原稿画像をフルカラーで読取って画像信号化する手段として、請求項１１または１２記載の画像読取装置を有することを特徴とする画像形成装置。
【請求項１４】
請求項１３記載の画像形成装置において、
画像信号に対応する画像の書込みを、光書込みにより行うことを特徴とする画像形成装置。
【請求項１５】
請求項１４記載の画像形成装置において、
光書込みにより、光導電性の感光体に、形成すべき画像に対応する静電潜像を形成することを特徴とする画像形成装置。
【発明の詳細な説明】
【技術分野】
【０００１】
この発明はカラー画像読取レンズ、カラー画像読取レンズユニット、画像読取装置および画像形成装置に関する。
【背景技術】
【０００２】
ファクシミリやデジタル複写機等の画像形成装置においては、読取るべき原稿画像を画像読取レンズで縮小し、ＣＣＤ等の固体撮像素子上に結像させて画像情報を信号化する。また、画像をカラーで読取る場合は、例えば赤、緑、青のフィルタを持った受光素子を、１チップに３列に配列させた所謂３ラインＣＣＤを用い、その受光面に原稿画像を結像させて３原色に色分解し、カラー画像を信号化する。
【０００３】
画像読取レンズには「高空間周波数領域で光軸近傍から周辺まで均一で高いコントラストを有する」ことが要求される。このため、画像読取レンズは像面湾曲を良好に補正する必要があるが、特に副走査方向のコントラストを均一化するため、サジタル方向の像面湾曲を良好に補正し、かつコマフレアを小さく抑える必要がある。
【０００４】
さらに、カラー画像の良好な読取りのためには、固体撮像素子の受光面上で「赤、緑、青の各色光の結像位置を光軸方向に合致させる必要」があり、各色の色収差および２次スペクトル(２波長に対する軸上の色収差を補正したときの他の波長の軸上色収差)を極めて良好に補正する必要がある。２次スペクトルが十分に補正されていないと、２次スペクトルの大きな波長成分を含む画像に対する読取の解像度が低下してしまう。
【０００５】
また、画像読取レンズは「開口効率が画角周辺部まで１００％近くある」ことが求められる。  
即ち、カラー画像を良好に読取るためのカラー画像読取レンズは、収差の面からは、像面湾曲、軸上色収差およびその２次スペクトルが良好に補正されている必要がある。
【０００６】
「像面湾曲を良好に補正する」ためには、ペッツバール和をできるだけ小さくする必要がある。  
「軸上の色収差を良好に補正する」には、カラー画像読取レンズを構成するレンズ中の正レンズに「高屈折率でかつ(アッベ数が大きい)低分散」の硝材を用い、カラー画像読取レンズを構成するレンズ中の負レンズに「低屈折率でかつ(アッベ数が小さい)高分散」の材料を使用するのがよい。
【０００７】
「色収差の２次スペクトルを小さく抑える」ためには「基準線からの各材料の部分分散の偏差」が、正レンズでプラス、負レンズでマイナスとなるようにするのが良い。
【０００８】
しかし、現在量産されて入手の容易な光学ガラスのうちで、正レンズとして使用される頻度の高い「高屈折率で低分散のランタンクラウン系やタンタルクラウン系の材料」は、「基準線からの部分分散の偏差がマイナス」であり、負レンズとして使用される頻度の高い「低屈折率で高分散の重フリント系の材料」は、「基準線からの部分分散の偏差がプラス」である。
【０００９】
このため、上記入手の容易な光学ガラスを用いる場合には、ペッツバール和を小さくしつつ、軸上色収差を良好に補正し、なおかつ軸上色収差の２次スペクトルも良好に補正することは極めて困難である。
【００１０】
従来、カラー画像読取レンズとして、半画角：２０゜程度まで良好に像面湾曲が補正され、比較的大口径にしてもコマフレアの発生を小さく抑えることができ、色収差補正能力も高い「４群６枚構成のガウスタイプ」を用い、軸上色収差の２次スペクトル補正のため、負レンズである第３、第４レンズの少なくとも一方に「基準線からの部分分散の偏差がマイナス」である所謂「異常分散ガラス」を使用するものが知られている（特許文献１〜６等）
しかし、ガウスタイプは６枚構成でレンズの構成枚数が多いため、レンズ外径が大きくなり易いためカラー画像読取レンズを小型化するのが難しく、画像読取装置や画像形成装置の大型化を招来しやすい。
【００１１】
また、上記負レンズに使用される「アッベ数が４０〜４５近傍の異常分散ガラス」は、研磨や洗浄に用いられる研磨剤や洗浄薬剤の作用で「レンズ面の白濁（所謂「やけ」）」が発生しやすいという加工面での問題があり、「やけ」により高い歩留まりを実現するのが難しく、加工コストが高くなりやすい。
【００１２】
さらに、近来、産業の各分野において省資源の観点から、加工材料のリサイクルが要請されており、レンズ硝材のリサイクルも意図されている。レンズ硝材のリサイクルの観点から見ると、レンズ材料に有害物質が含まれないことが好ましいことは言うまでもない。
【００１３】
【特許文献１】特許第２７２９０３９号公報
【特許文献２】特許第２７９０９１９号公報
【特許文献３】特開平  ９−３０４６９６号公報
【特許文献４】特開平１０−２５３８８１号公報
【特許文献５】特開平１１−１０９２２１号公報
【特許文献６】特開２００１−１６６３５９号公報
【発明の開示】
【発明が解決しようとする課題】
【００１４】
この発明は、６枚構成のガウスタイプよりも枚数の少ない４群５枚構成でありながら、Ｆ／ＮＯ：４．４〜５．０程度と明るく、開口効率が周辺部まで１００％に近く、像面湾曲が良好に補正され、コマフレアも小さく高空間周波数領域で軸上近傍から最周辺まで高いコントラストを有し、軸上色収差が良好に補正されるとともに軸上色収差の２次スペクトルが小さく抑えられて赤、緑、青の各色光の「結像位置の差」が小さく、フルカラー画像の読取りに好適で、小型で低コストなカラー画像読取レンズの実現を課題とする。
【００１５】
また、レンズ硝材のリサイクルが可能で加工時の廃液による水質汚染がないカラー画像読取レンズの実現を課題とする。
【００１６】
さらに、上記カラー画像読取レンズを用いた画像読取装置、この画像読取装置を用いる画像形成装置の実現を課題とする。
【課題を解決するための手段】
【００１７】
この発明のカラー画像読取レンズは、図１に例示するように、物体側（読取るべき原稿側、図の左方）から像側へ向かって、第１群Ｉ、第２群ＩＩ、第３群ＩＩＩ、第４群ＩＶを上記順序に配置し、第２群ＩＩと第３群ＩＩＩとの間に絞りＳを有する。
【００１８】
第１群Ｉは正の第１レンズＬ１であり、第２群ＩＩは正の第２レンズＬ２の像側に負の第３レンズＬ３が接合された接合レンズで「負の屈折力」を有する。第３群ＩＩＩは負の第４レンズＬ４であり、第４群ＩＶは正の第５レンズＬ５である。従って、構成レンズは、３枚の正レンズ（Ｌ１、Ｌ２、Ｌ５）と２枚の負レンズ（Ｌ３、Ｌ４）である。  
なお、図１において、符号ＣＧ１は読取るべき原稿を設置するコンタクトガラス、符号ＣＧ２は固体撮像素子のカバーガラスを示している。
【００１９】
請求項１記載のカラー画像読取レンズは以下のごとき特徴を有する。
【００２０】
即ち、上記３枚の正レンズ（Ｌ１、Ｌ２、Ｌ５）が低分散の硝材で構成され、上記２枚の負レンズ（Ｌ３、Ｌ４）が高分散の硝材で構成される。そして、１枚以上の正レンズにおいて、その材料の部分分散：θgdの「基準線からの偏差」である部分分散偏差：δθgdが正である。
【００２１】
「部分分散：θgd」は、ｄ線(587.56nm)の屈折率：nd、ｃ線(656.27nm)の屈折率：nc、F線(486.13nm)の屈折率：nF、g線(435.83nm)の屈折率：ngにより、
θgd＝(ng-nd)/(nF-nc)  
で定義される。
【００２２】
「基準線」は、部分分散：θgdとアッベ数：νdとを直交２軸とする座標平面（この座標平面上における各点は、座標：（θgd,νd）により定まる。）上において、基準硝材：Ｋ７の座標点：Ｋ７（θgd,νd）と基準硝材：Ｆ２の座標点Ｆ２（θgd,νd）を結ぶ直線として定義される。
【００２３】
上記「部分分散偏差：δθgd」が正であることは、硝材の部分分散：θgdの上記座標平面上の座標点が「基準線よりも、部分分散：θgdが増大する側の領域」に位置することを意味する。
【００２４】
このような「部分分散偏差：δθgdが正」である硝材は「低分散」であり、正レンズに用いることにより、軸上色収差の良好な補正を可能とするとともに、部分分散偏差が正であることにより「軸上色収差の２次スペクトル」の良好な補正も可能である。また、このような硝材は研磨剤や洗浄用薬剤等に対する耐性に優れ、前述の「やけ」を生じにくいが、反面、屈折率の面からすると正レンズに頻用される「ランタンクラウン系やタンタルクラウン系の材料」の持つ高屈折率に及ばない。
【００２５】
このため、正レンズに「部分分散偏差：δθgdが正である硝材」を用いると、ペッツバール和（＝Σ（１／ｎｆ））における屈折率：ｎが小さくなり、ペッツバール和を大きくする方向に作用するので、カラー画像読取レンズの「像面の平坦化（像面湾曲の補正）」の面からすると不利になるが、この点は、他の正レンズとして屈折率の高い前記「ランタンクラウン系やタンタルクラウン系の材料」を用いることで解消可能である。
【００２６】
請求項１記載のカラー画像読取レンズは、３枚の正レンズのうち少なくとも２枚に、部分分散偏差：δθgdが正であるものを用いることができる。この場合、３枚の正レンズの部分分散偏差の平均値：δθgd(凸)、２枚の負レンズの部分分散偏差の平均値：δθgd(凹)が、条件：
(１)      −０.０１１  ＜  δθgd(凸)−δθgd(凹)  ＜  −０.００５  
を満足し、且つ、第４レンズの少なくとも１面に非球面を有することが好ましい（請求項２）。
【００２７】
この場合のように、３枚の正レンズ中に「部分分散偏差：δθgdが正であるもの」を２枚以上を用いると、軸上色収差やその２次スペクトルの補正は「より良好」に行うことができるが、ペッツバール和が増大するので、像面湾曲の補正の面では不利になる。このように、ペッツバール和の増大に伴う「像面湾曲の劣化」は非球面の採用により補償することができる。非球面を、像面に最も近い第４群に採用することで像面湾曲を容易且つ確実に補正することができる。
【００２８】
条件（１）の上限を超えると、「軸上の色収差を補正している２波長」の間の波長領域で２次スペクトルが負で大きくなり易く、逆に下限を超えると、上記２波長の外側の波長領域で２次スペクトルが補正不足となり正で大きくなり易い。
【００２９】
条件（１）は、正レンズと負レンズとの材料選択を適切に行うことを意味し、２枚以上の正レンズに「部分分散偏差：δθgdが正であるもの」を用いた場合に、３枚の正レンズの部分分散偏差の平均値：δθgd(凸)よりも「２枚の負レンズの正の部分分散偏差の平均値：δθgd(凹)」の方が０.００５より大となるように２枚の負レンズの材料を選択することを意味する。負レンズのこのような材料としては前述の「低屈折率で高分散の重フリント系の材料（部分分散偏差が正）」を用いることができる。
【００３０】
上記請求項２記載のカラー画像読取レンズにおいて、３枚の正レンズの材料の「部分分散偏差：δθgd」を正とすることにより、軸上色収差とその２次スペクトルをより良好に補正できる。この場合、３枚の正レンズの部分分散偏差の平均値：δθgd(凸)、２枚の負レンズの部分分散偏差の平均値：δθgd(凹)は、上記の条件（１）よりも「より狭い」条件：
(１Ａ)    −０.０１１  ＜  δθgd(凸)−δθgd(凹)  ＜  −０.００７  
を満足することが好ましい（請求項３）。
【００３１】
条件（１Ａ）の上限を超えると、負レンズによる部分分散偏差の補償が不十分となって「軸上の色収差を補正している２波長の間の波長領域」で２次スペクトルが負で大きくなりすぎ、逆に下限を超えると、負レンズによる部分分散偏差の補償が過大となって、上記２波長の外側の波長領域で２次スペクトルが補正不足となり正で大きくなってしまう。
【００３２】
上記請求項１〜３の任意の１に記載のカラー画像読取レンズは、全系のｅ線に対する合成焦点距離：ｆ、第１群のｅ線に対する焦点距離：ｆ１、第２群と第３群のｅ線に対する合成焦点距離：ｆ23が、条件：
（２）      ０．７７＜ｆ１／ｆ＜１．２８
（３）    −０．５５＜ｆ23／ｆ＜−０．４５
を満足することが好ましい（請求項４）。
【００３３】
上記請求項１〜４の任意の１に記載のカラー画像読取レンズは、全系のｅ線に対する合成焦点距離：ｆ、絞りから第４レンズまでの光軸上の距離：ｄ６が、条件：
（４）      ０．０５＜ｄ６／ｆ＜０．０９
を満足することが好ましい（請求項５）。
【００３４】
条件（２）、（３）を満足することにより、収差のより良好な補正が可能となる。  
即ち、条件（２）は「第１群のパワーを規定」するものであり、上限を超えると第１群のパワーが弱すぎ、性能確保のためにレンズ全体を大きくせざるを得ず、コンパクト化、低コスト化を実現し難くなる。また、条件（２）の下限を超えると、第１群のパワーが過剰に強くなり、カラー画像読取レンズのコンパクト化には有利であっても、コマフレアが大きくなり、特に低空間周波数でコントラストが低下し易い。
【００３５】
条件（３）は「負のパワーを有する第２、第３群の合成パワーを規定」するものであり、上限を超えると、球面収差・像面湾曲ともに補正過剰となって周辺でのコマ収差が劣化しやすい。逆に条件（３）の下限を超えると、球面収差・像面湾曲ともに補正不足となり易く、中間画角での非点収差が増大して中間画角でのコマ収差が劣化しやすく、全面にわたって良好な結像性能を実現することが難しくなる。
【００３６】
上記条件（４）は「非球面を有する第４レンズと絞りとの間隔を規定」するもので、上限を超えると、第４レンズが絞りから離れることにより「第４レンズのレンズ径」が増大して第４レンズが大型化し、非球面の形成が難しくなり、第４レンズの材料コスト・非球面形成の加工コストが増大しやすい。逆に、条件（４）の下限を超えると、第４レンズが絞りに近づき、第４レンズに入射する軸外光束の角度が急になるとともに、軸上光束と軸外光束が第４レンズのレンズ面において分離されないため、コマフレアや像面湾曲の増大を招来しやすく、高性能の実現が難しくなる。
【００３７】
上記請求項１〜５の任意の１に記載のカラー画像読取レンズにおいて、第２レンズと第３レンズの接合後の第２群を「物体側に凸面を向けて配置したメニスカス形状」とし、第４レンズを「像面に凸面を向けて配置したメニスカス形状」とすることが好ましい（請求項６）。このように、絞りに近接したレンズ（第２群と第３群）をメニスカス形状とすることで「第２群と第３群の間に配置した絞りに対し、出来る限り光線がコンセントリックに入射する」ようにすることで、球面収差や像面湾曲を小さく抑えることが容易となる。
【００３８】
上記請求項６記載のカラー画像読取レンズにおいて、第１レンズは「物体側に凸面を向けて配置したメニスカス形状」、第５レンズは「像面に凸面を向けて配置したメニスカス形状」であることが好ましい（請求項７）。
【００３９】
請求項７のレンズ構成では「全てのレンズがメニスカス形状」となり、第２群と第３群の間に配置した「絞り」に対し、全てのレンズで光線が「できる限りコンセントリックに入射」するようでき、絞りに対しての対称性を保ち、球面収差や歪曲収差、および倍率の色収差を小さく抑えることが可能となる。
【００４０】
上記請求項６または７記載のカラー画像読取レンズにおける第４レンズ（像面に凸面を向けて配置したメニスカス形状）における非球面形状は「周辺部に行くに従い、負のパワーが強くなる形状」とすることが好ましい（請求項８）。
【００４１】
この発明のカラー画像読取レンズでは、軸上色収差の２次スペクトルを補正するため、１枚以上の正レンズに「部分分散偏差：δθgdが正の材料」を使用している。前述の如く、現在量産されている光学ガラスにおいて「低分散で部分分散偏差が正の材料」の屈折率は一般的に小さく、このためこのような材料を用いた場合、ペッツバール和が大きくなる傾向にあり、像面湾曲補正には不利となる。このような不利を回避するには、負レンズである第４レンズに少なくとも１面採用する非球面を「光軸近傍に対して周辺に行くに従い負のパワーが強くなる形状」とするのがよい。
【００４２】
具体的には、メニスカス形状の第４レンズの第１面（物体側面）に非球面を採用する場合には、第１面は負のパワーを有するため「周辺に行くに従い、曲率半径が小さくなる形状」とし、第２面（像側面）に非球面を採用する場合には、第２面が正のパワーを有しているため「周辺に行くに従い曲率半径が緩くなる形状」とする。このような形状とすることで、像面湾曲を良好に補正可能とすることが出来る。
【００４３】
請求項１〜８の任意の１に記載のカラー画像読取レンズにおいて、５枚のレンズを全てガラスレンズとし、これらレンズのガラス材料が鉛、砒素などの有害物質を含有していないことが好ましい（請求項９）。
【００４４】
このように、全てのレンズを「化学的に安定で、鉛や砒素等の有害物質を含まない光学ガラス」で構成することにより、材料のリサイクル化が可能で、加工時の廃液による水質汚染が無く、更に、従来６枚のレンズ構成を５枚のレンズに構成枚数を低減することで、省資源化や加工時に発生するＣＯ2等を低減でき、地球環境を考慮した、小型で低コストなカラー画像読取レンズとすることが出来る。
【００４５】
この発明の「カラー画像読取レンズユニット」は、上記請求項１〜９の任意の１に記載の原稿読取レンズを「鏡筒に組付け一体化」してなる（請求項１０）。
【００４６】
この発明の原稿読取装置は、原稿上のカラー画像をフルカラーで読取る装置であって、原稿支持手段と、照明手段と、原稿読取レンズと、色分解手段と、撮像手段とを有する。
【００４７】
「原稿支持手段」は、カラー画像を読取るべき原稿を支持する手段である。  
「照明手段」は、原稿支持手段に支持された原稿を照明する手段である。  
「原稿読取レンズ」は、照明された原稿の像を結像させる。
【００４８】
「色分解手段」は、原稿読取レンズの結像光路上に配置されて色分解を行う。  
［撮像手段］は、原稿読取レンズにより結像された原稿の像（上記色分解手段により色分解されている）を受光して電気信号に変換する。  
そして、原稿読取レンズとして請求項１〜９の任意の１に記載のカラー画像読取レンズが用いられる（請求項１１）。
【００４９】
この請求項１１記載の原稿読取装置において、原稿読取装置が「原稿を平面的に定置するコンタクトガラス」で、照明手段が「コンタクトガラスに載置された原稿をスリット状に照明し、スリット状の照明部に交わる方向へ原稿を走査する手段」を有し、撮像手段が「ラインセンサ」であることができる（請求項１２）。
【００５０】
請求項１２記載の原稿読取装置では「コンタクトガラスに平面的に定置された原稿が照明手段により照明走査される」が、請求項１１記載の原稿読取装置は「照明装置と原稿読取レンズとラインセンサとの位置関係を固定し、読取るべき原稿をラインセンサに共役な位置におかれたコンタクトガラス上においてスリット状に照明しつつ、原稿をスリット状の照明位置に交わる方向へ移動させて原稿の照明走査を行う」ように構成してもよい。この場合のコンタクトガラスは「細幅のもので原稿を照明するのに必要な幅」を有していればよい。
【００５１】
請求項１１記載の原稿読取装置はまた「読取るべき原稿を原稿ガラス上に平面的に定置して原稿全面を所定の照度分布で照明し、原稿全面の縮小画像を原稿読取レンズによりエリアセンサの受光面上に結像させて原稿の全面を同時に読取る」ように構成することも可能である。また、色分解手段として、原稿の照明光を赤・緑・青の順に高速で切り替えるようにして行うものを用いることもできる。
【００５２】
この発明の画像形成装置は「画像信号に対応する画像を書込んで画像を形成する装置」であって、原稿画像をフルカラーで読取って画像信号化する手段として、請求項１１または１２記載の画像形成装置を有することを特徴とする（請求項１３）。この画像形成装置において、画像信号の書込みは、インクジェット方式やインクリボン方式、感熱方式等、公知の種々の方法で行うことができるが、「画像信号に対応する画像の書込みを、光書込みにより行う」ことができる（請求項１４）。この場合、光書込みによる書込み、銀塩フィルム等に対して行ってもよいが、「光導電性の感光体に光書込みを行い、形成すべき画像に対応する静電潜像を形成する」こともできる（請求項１５）。
【発明の効果】
【００５３】
以上説明したように、この発明によれば、従来から知られた６枚構成のガウスタイプのカラー画像読取レンズよりも枚数の少ない４群５枚構成でありながら、各実施例に示すように、Ｆ／ＮＯ：４．４〜５．０程度と明るく、開口効率が周辺部まで１００％に近く、像面湾曲が良好に補正され、コマフレアも小さく高空間周波数領域で軸上近傍から最周辺まで高いコントラストを有し、軸上色収差が良好に補正されるとともに軸上色収差の２次スペクトルが小さく抑えられて赤、緑、青の各色光の「結像位置の差」が小さく、フルカラー画像の読取りに適し、小型で低コストなカラー画像読取レンズを実現できる。
【００５４】
そして、このようなカラー画像読取レンズを用いた画像読取装置は原稿のカラー画像を良好に読取ることができ、このような画像読取装置を用いる画像形成装置は、良好に読取ったカラー画像情報に基づき良好な画像形成を実現できる。
【００５５】
また、請求項９記載の発明のカラー画像読取レンズは、レンズ硝材のリサイクルが可能で加工時の廃液による水質汚染がない。
【発明を実施するための最良の形態】
【００５６】
図１３は「原稿読取装置」の実施の１形態を要部のみ示している。  
図１３において、読取られるべき原稿２は、原稿支持手段としてのコンタクトガラス１上に平面的に定置され、コンタクトガラス１の下部に配置された図示されない照明光学系により「図面に直交する方向に長いスリット状部分」が照明される。
【００５７】
原稿１の照明された部分からの反射光は、第１走行体３に設けられた第１ミラー３Ａにより反射された後、第２走行体４に設けられた第２ミラー４Ａ、第２ミラー４Ｂにより順次反射され、原稿読取レンズユニット５の鏡筒に組付けられた原稿読取レンズを透過し、撮像手段としてのラインセンセ６の受光部上に原稿の縮小像として結像する。
【００５８】
「原稿読取レンズ」としては、請求項１〜９の任意の１に記載のもの、具体的には、例えば後述の実施例１〜６の何れかの原稿読取レンズが使用される。
【００５９】
第１走行体３、第２走行体４は、図示されない駆動手段により、それぞれ矢印方向（図の右方）へ走行させられる。第１走行体３の走行速度は「Ｖ」、第２走行体４の走行速度は「Ｖ／２」である。この走行により、第１走行体３、第２走行体４は、それぞれ破線で示す位置まで変位する。
【００６０】
図示されない照明光学系は第１走行体３と一体的に移動し、コンタクトガラス１上の原稿２の全体を「照明走査」する。第１、第２走行体の移動速度比は「Ｖ：Ｖ／２」であるので、照明走査される原稿部分から原稿読取レンズに至る光路長は不変に保たれる。
【００６１】
ラインセンサ６は「色分解手段として赤、緑、青のフィルタを持った受光素子を、１チップに３列に配列させた所謂３ラインＣＣＤ（３ラインのラインセンサ）」であり、原稿２の照明走査に伴い、原稿画像を画像信号化する。このようにして原稿２の読取が実行され、原稿２のカラー画像は、赤、緑、青の３原色に色分解して読取られる。
【００６２】
即ち、図１３に示す原稿読取装置は、原稿上のカラー画像をフルカラーで読取る装置であって、原稿２を支持する原稿支持手段１と、この原稿支持手段１に支持された原稿２を照明する照明手段（図示されない照明光学系と、第１、第２走行体３、４と、これら走行体に保持された第１〜第３ミラー３Ａ、４Ａ、４Ｂと、上記走行体を走行させる図示されない駆動手段により構成される。）と、照明された原稿２の像を結像させる原稿読取レンズ（原稿読取レンズユニット５の鏡筒に組付けられている。）と、原稿読取レンズユニット５の結像光路中に設けられた「色分解手段（前記３ラインＣＣＤに設けられた赤、緑、青のフィルタ）」と、上記原稿読取レンズにより結像された原稿の像を受光して電気信号に変換する撮像手段６とを有し、原稿読取レンズとして、請求項１〜９の任意の１に記載の原稿読取レンズを用いたもの（請求項１１）である。
【００６３】
また、「原稿支持手段」が、原稿２を平面的に定置するコンタクトガラス１であり、照明手段が、コンタクトガラス１に載置された原稿２をスリット状に照明し、スリット状の照明部に交わる方向へ原稿を走査する手段を有し、「撮像手段」がラインセンサ６である（請求項１０）。
【００６４】
原稿読取装置の他の形態として「コンタクトガラス上の原稿をスリット状に照明する照明手段と、ラインセンサと、原稿の非照明部からラインセンサに至る結像光路を形成する複数のミラーと、上記結像光路上に配置される原稿読取レンズと」を相互に一体化した読取ユニットを、駆動手段により原稿に相対的に走行させることにより原稿を読取走査するようにした形態のものとすることもできる。
【００６５】
また、原稿読取レンズは、原稿送り装置(所謂ＡＤＦ)内に配置して、原稿の両面読取時の「原稿裏面読取用」としても使用可能である。
【００６６】
「色分解」は、上記とは別に、原稿読取レンズとラインセンサ（ＣＣＤ）との間に色分解プリズムやフィルタを選択的に挿入し、Ｒ（赤）、Ｇ（緑）、Ｂ（青）に色分解する方法や、「Ｒ、Ｇ、Ｂの光源を順次点灯させ原稿を照明する方法」を用いることができる。
【００６７】
図１４は、画像形成装置の実施の１形態を示す。  
この画像形成装置は、装置上部に位置する原稿読取装置２００と、その下位に位置する「画像形成部」とを有する。原稿読取装置２００の部分は、図１３に即して説明したのと同様のものであり、各部には図１３と同じ符号を付してある。
【００６８】
画像読取装置２００における３ラインのラインセンサ（撮像手段）６から出力される画像信号は信号処理部１２０に送られ、信号処理部１２０において処理されて「書込み用の信号（イエロー・マゼンタ・シアン・黒の各色を書込むための信号）」に変換される。
【００６９】
画像形成部は、「潜像担持体」として円筒状に形成された光導電性の感光体１１０を有し、その周囲に、帯電手段としての帯電ローラ１１１、リボルバ式の現像装置１１３、転写ベルト１１４、クリーニング装置１１５が配設されている。帯電手段としては帯電ローラ１１１に代えて「コロナチャージャ」を用いることもできる。
【００７０】
信号処理部１２０から書込み用の信号を受けて光走査により感光体１１０に書込みを行う光走査装置１１７は、帯電ローラ１１１と現像装置１１３との間において感光体１１０の光走査を行うようになっている。
【００７１】
符号１１６は定着装置、符号１１８はカセット、符号１１９はレジストローラ対、符号１２０は給紙コロ、符号１２１はトレイ、符号Ｓは「記録媒体」としての転写紙を示している。
【００７２】
画像形成を行うときは、光導電性の感光体１１０が時計回りに等速回転され、その表面が帯電ローラ１１１により均一帯電され、光走査装置１１７のレーザビームの光書込による露光を受けて静電潜像が形成される。形成された静電潜像は所謂「ネガ潜像」であって画像部が露光されている。
【００７３】
「画像の書込み」は、感光体１１０の回転に従い、イエロー画像、マゼンタ画像、シアン画像、黒画像の順に行われ、形成された静電潜像はリボルバ式の現像装置１１３の各現像ユニットＹ（イエロートナーによる現像を行う）、Ｍ（マゼンタトナーによる現像を行う）、Ｃ（シアントナーによる現像を行う）、Ｋ（黒トナーによる現像を行う）により順次反転現像されてポジ画像として可視化され、得られた各色トナー画像は、転写ベルト１１４上に、転写電圧印加ローラ１１４Ａにより順次転写され、上記各色トナー画像が転写ベルト１１４上で重ね合わせられてカラー画像となる。
【００７４】
転写紙Ｓを収納したカセット１１８は、画像形成装置本体に脱着可能であり、図のごとく装着された状態において、収納された転写紙Ｓの最上位の１枚が給紙コロ１２０により給紙され、給紙された転写紙Ｓはその先端部をレジストローラ対１１９に捕えられる。
【００７５】
レジストローラ対１１９は、転写ベルト１１４上のトナーによるカラー画像が転写位置へ移動するのにタイミングを合わせて転写紙Ｓを転写部へ送り込む。送り込まれた転写紙Ｓは、転写部においてカラー画像と重ね合わせられ、転写電圧印加ローラ１１４Ｂの作用によりカラー画像を静電転写される。
【００７６】
カラー画像を転写された転写紙Ｓは定着装置１１６へ送られ、定着装置１１６においてカラー画像を定着され、図示されないガイド手段による搬送路を通り、図示されない排紙ローラ対によりトレイ１２１上に排出される。各色トナー画像が転写されるたびに、感光体１１０の表面はクリーニング装置１１５によりクリーニングされ、残留トナーや紙粉等が除去される。
【００７７】
即ち、図１４に実施の形態を示した画像形成装置は、画像信号に対応する画像を書込んで画像を形成する画像形成装置であって、原稿画像を画像信号化する手段として、請求項１〜９の任意の１に記載の画像形成装置２００を有する（請求項１３）。また、画像信号に対応する画像の書込みを光書込みにより行い（請求項１４）、光書込みにより、光導電性の感光体１１０に、形成すべき画像に対応する静電潜像を形成する（請求項１５）。
【００７８】
以下、カラー画像読取レンズの具体的な実施例を６例挙げる。  
各実施例における記号の意味は下記の通りである。  
ｆ                  ：全系のｅ線に対する合成焦点距離
ＦＮｏ              ：Ｆナンバ
ｍ                  ：縮率
ω                  ：半画角(度)
Ｙ                  ：物体高
ｒｉ(ｉ＝１〜１１)  ：物体側から数えてｉ番目の面（絞りの面を含む）の曲率半径
ｄｉ(ｉ＝１〜１０)  ：物体側から数えてｉ番目の面間隔
ｎｊ(ｊ＝１〜５)    ：物体側から数えてｊ番目のレンズの材料の屈折率
νｊ(ｊ＝１〜５)    ：物体側から数えてｊ番目のレンズの材料のアッベ数
ｒｃ１              ：コンタクトガラスの物体側の曲率半径
ｒｃ２              ：コンタクトガラスの像側の曲率半径
ｒｃ３              ：ＣＣＤ（ラインセンサ）のカバーガラスの物体側の曲率半径
ｒｃ４              ：ＣＣＤのカバーガラスの像側の曲率半径
ｄｃ１              ：コンタクトガラスの肉厚
ｄｃ３              ：ＣＣＤのカバーガラスの肉厚
ｎｃ１              ：ＣＣＤのカバーガラスの屈折率
ｎｃ３              ：コンタクトガラスの屈折率
νｃ１              ：コンタクトガラスのアッベ数
νｃ３              ：ＣＣＤのカバーガラスのアッベ数
ｎｄ                ：ｄ線(587.56nm)の屈折率
ｎｅ                ：ｅ線(546.07nm)の屈折率
ｎｇ                ：ｇ線(435.83nm)の屈折率
ｎＦ                ：Ｆ線(486.13nm)の屈折率
ｎＣ                ：Ｃ線(656.27nm)の屈折率
δθgdｊ(ｊ＝１〜５)：物体側から数えてｊ番目のレンズの材料の部分分散偏差
δθgd(凸)          ：正の屈折力を有するレンズの部分分散偏差の平均
δθgd(凹)          ：負の屈折力を有するレンズの部分分散偏差の平均      。
【００７９】
非球面は下式で表す。  
Ｘ＝(１／Ｒ)Ｙ２／［１＋√(１−(１＋Ｋ)(Ｙ／Ｒ)２)］
A4×Y４+A6×Y６+A8×Y８+A10×Y１０
ここに、
Ｙ：光軸からの高さ
Ｘ：光軸からの高さ：Ｙにおける非球面の、非球面頂点における接平面からの距離
Ｒ：非球面の近軸曲率半径
Ｋ：円錐乗数
A4,A6,A8,A10：非球面係数
データの表記において「Ｅ-XY」は「１０−ＸＹ」を意味する。  
実施例１〜６とも、カラー画像読取レンズの物体側から数えて第６番目の面が「絞り」の面である。
【実施例１】
【００８０】
ｆ＝84.285  、Ｆ＝4.95  、ｍ＝0.23622  、Ｙ＝152.4  、ω＝19.1゜  
実施例１のデータを表１に示す。材料名の欄における括弧内は生産者名で「Ｏ」とあるのは「ＯＨＡＲＡ」、「Ｈ」とあるの「ＨＯＹＡ」である。
【００８１】
【表１】
2005134486.tif 000003
【００８２】
「非球面係数」を表２に示す。
【００８３】
【表２】
2005134486.tif 000004
【００８４】
各レンズの部分分散偏差：δθgfi（ｉ＝１〜５）と条件（１）のパラメータの値を表３に示す。
【００８５】
【表３】
2005134486.tif 000005
【００８６】
図１は、実施例１のレンズ構成を示す図である。  
図２は、実施例１に関する収差図である。収差図においてｅはｅ線(546.07nm)、ｇはｇ線(436.83nm)、ｃはｃ線(656.27nm)、ＦはＦ線(486.13nm)を示す。球面収差の図において波線は正弦条件を表し、非点収差の図で実線はサジタル光線、点線はメリディオナル光線を表す。以下の実施例２〜６においても同様である。
【実施例２】
【００８７】
ｆ＝90.289  、Ｆ＝4.68  、ｍ＝0.23622  、Ｙ＝152.4  、ω＝17.9゜  
実施例２のデータを実施例１に倣って表４に示す。
【００８８】
【表４】
2005134486.tif 000006
【００８９】
「非球面係数」を表５に示す。
【００９０】
【表５】
2005134486.tif 000007
【００９１】
各レンズの部分分散偏差：δθgfi（ｉ＝１〜５）と条件（１）のパラメータの値を表６に示す。
【００９２】
【表６】
2005134486.tif 000008
【００９３】
図３は、実施例２のレンズ構成を示す図である。  
図４は、実施例２に関する収差図である。
【実施例３】
【００９４】
ｆ＝70.530  、Ｆ＝4.50  、ｍ＝0.16535  、Ｙ＝152.4  、ω＝17.0゜
実施例３のデータを実施例１に倣って表７に示す。
【００９５】
【表７】
2005134486.tif 000009
【００９６】
「非球面係数」を表８に示す。
【００９７】
【表８】
2005134486.tif 000010
【００９８】
各レンズの部分分散偏差：δθgfi（ｉ＝１〜５）と条件（１）のパラメータの値を表９に示す。
【００９９】
【表９】
2005134486.tif 000011
【０１００】
図５は、実施例３のレンズ構成を示す図である。  
図６は、実施例３に関する収差図である。
【実施例４】
【０１０１】
ｆ＝44.766  、Ｆ＝4.49  、ｍ＝0.11102  、Ｙ＝152.4  、ω＝18.8゜
実施例４のデータを実施例１に倣って表１０に示す。
【０１０２】
【表１０】
2005134486.tif 000012
【０１０３】
「非球面係数」を表１１に示す。
【０１０４】
【表１１】
2005134486.tif 000013
【０１０５】
各レンズの部分分散偏差：δθgfi（ｉ＝１〜５）と条件（１）のパラメータの値を表１２に示す。
【０１０６】
【表１２】
2005134486.tif 000014
【０１０７】
図７は、実施例４のレンズ構成を示す図である。  
図８は、実施例４に関する収差図である。
【実施例５】
【０１０８】
ｆ＝45.466  、Ｆ＝4.50  、ｍ＝0.11102  、Ｙ＝152.4  、ω＝18.5゜
実施例５のデータを実施例１に倣って表１３に示す。
【０１０９】
【表１３】
2005134486.tif 000015
【０１１０】
「非球面係数」を表１４に示す。
【０１１１】
【表１４】
2005134486.tif 000016
【０１１２】
各レンズの部分分散偏差：δθgfi（ｉ＝１〜５）と条件（１）のパラメータの値を表１５に示す。
【０１１３】
【表１５】
2005134486.tif 000017
【０１１４】
図９は、実施例５のレンズ構成を示す図である。  
図１０は、実施例５に関する収差図である。
【実施例６】
【０１１５】
ｆ＝45.321  、Ｆ＝4.49  、ｍ＝0.11102  、Ｙ＝152.4  、ω＝18.6゜
実施例６のデータを実施例１に倣って表１６に示す。
【０１１６】
【表１６】
2005134486.tif 000018
【０１１７】
「非球面係数」を表１７に示す。
【０１１８】
【表１７】
2005134486.tif 000019
【０１１９】
各レンズの部分分散偏差：δθgfi（ｉ＝１〜５）と条件（１）のパラメータの値を表１８に示す。
【０１２０】
【表１８】
2005134486.tif 000020
【０１２１】
図１１は、実施例６のレンズ構成を示す図である。  
図１２は、実施例６に関する収差図である。
【０１２２】
上記実施例１〜６における条件（２）〜（４）における、全系のｅ線に対する合成焦点距離：ｆ、第１群のｅ線に対する焦点距離：ｆ１、第２群と第３群のｅ線に対する合成焦点距離：ｆ23、絞りから第４レンズまでの光軸上の距離：ｄ６、おとび各パラメータの値を表１９に示す。
【０１２３】
【表１９】
2005134486.tif 000021
【図面の簡単な説明】
【０１２４】
【図１】実施例１のレンズ構成を示す図である。
【図２】実施例１に関する収差図である。
【図３】実施例２のレンズ構成を示す図である。
【図４】実施例２に関する収差図である。
【図５】実施例３のレンズ構成を示す図である。
【図６】実施例３に関する収差図である。
【図７】実施例４のレンズ構成を示す図である。
【図８】実施例４に関する収差図である。
【図９】実施例５のレンズ構成を示す図である。
【図１０】実施例５に関する収差図である。
【図１１】実施例６のレンズ構成を示す図である。
【図１２】実施例６に関する収差図である。
【図１３】原稿読取装置の実施の１形態を説明するための図である。
【図１４】画像形成装置の実施の１形態を説明するための図である。
【符号の説明】
【０１２５】
Ｌ１      第１レンズ
Ｌ２      第２レンズ
Ｌ３      第３レンズ
Ｌ４      第４レンズ
Ｌ５      第５レンズ
Ｓ        絞り
【図１】
2005134486.tif 000022
【図２】
2005134486.tif 000023
【図３】
2005134486.tif 000024
【図４】
2005134486.tif 000025
【図５】
2005134486.tif 000026
【図６】
2005134486.tif 000027
【図７】
2005134486.tif 000028
【図８】
2005134486.tif 000029
【図９】
2005134486.tif 000030
【図１０】
2005134486.tif 000031
【図１１】
2005134486.tif 000032
【図１２】
2005134486.tif 000033
【図１３】
2005134486.tif 000034
【図１４】
2005134486.tif 000035